【手続補正書】
【提出日】平成18年2月27日(2006.2.27)
【手続補正１】
【補正対象書類名】特許請求の範囲
【補正対象項目名】全文
【補正方法】変更
【補正の内容】
【特許請求の範囲】
【請求項１】
ユーザに呼吸可能ガスを届けるためのマスクであって、
加圧された呼吸可能ガスの供給を受け取るように適合された部分とユーザ側とを有するマスクシェルと、
前記マスクシェルの前記ユーザ側に取り付けられた第一の側と、第二の側とを有するガセット部と、
前記ガセット部の前記第二の側に取り付けられるように構成された第一の部分と、使用時にはユーザの顔に接触して前記マスクと前記ユーザの顔との間を密閉するように構成された第二の部分とを有するクッションと、
少なくとも一つのヘッドギアストラップを有し、前記マスクシェルを前記ユーザに取り付けるように構成されたヘッドギアと
を備えており、
前記ガセット部は前記マスクシェルと前記クッションとの間の距離に設定された変位範囲内で移動することができ、前記ガセット部は、使用時に前記加圧された呼吸可能ガスの供給にさらされるガセット領域を規定し、前記ガセット領域に作用する前記加圧されたガスの供給は、前記ユーザの顔にかかる前記クッションの接触力Ｆｃの構成要素を提供し、
前記力Ｆｃは前記加圧された呼吸可能ガスの供給の圧力に対してほぼ一定の割合に維持され、前記顔にかかる前記マスクのトータルの力Ｆｍは、前記加圧された呼吸可能ガスの供給の圧力１ｇｆ／ｃｍ２あたり約３５〜１０８グラムの範囲内に維持されることにより、前記ヘッドギアストラップを調整することなしに、前記マスクの動作圧力範囲の最小の圧力を含む動作圧力範囲内にわたって、前記マスクと前記ユーザとの間の密閉を保つように、前記マスクシェル、前記ガセット部、前記クッションおよび前記ヘッドギアが構成されていることを特徴とするマスク。
【請求項２】
前記力Ｆｍは、前記加圧された呼吸可能ガスの供給の圧力１ｇｆ／ｃｍ2あたり約４０〜８８グラムの範囲内に維持されることを特徴とする請求項１に記載のマスク。
【請求項３】
前記力Ｆｍは、前記加圧された呼吸可能ガスの供給の圧力１ｇｆ／ｃｍ2あたり約５０〜８８グラムの範囲内に維持されることを特徴とする請求項２に記載のマスク。
【請求項４】
前記動作圧力範囲は、約４〜２５ｇｆ／ｃｍ2であることを特徴とする請求項３に記載のマスク。
【請求項５】
前記ガセット部の膨張および収縮は、前記ユーザの顔に対する前記マスクシェルの角度のずれがプラスおよびマイナス８度の範囲内で前記クッションと前記ユーザの顔との間に密閉を維持することを可能にすることを特徴とする請求項４に記載のマスク。
【請求項６】
前記ガセット部は、前記加圧された呼吸可能ガスの供給にさらされていないときに略三角形の断面をもつ柔軟性のあるサイドウォールを有する単一のガセットを備えており、前記ガセットは前記加圧された呼吸可能ガスの供給にさらされているときは略丸みをおびた断面に膨らむことを特徴とする請求項１に記載のマスク。
【請求項７】
前記ガセット部は、底部で厚くなった断面をもつサイドウォールを備えていることを特徴とする請求項１に記載のマスク。
【請求項８】
前記厚くなった部分は略一様の厚さを有していることを特徴とする請求項７に記載のマスク。
【請求項９】
前記ガセット部は、厚くなった底部から薄くなった部分へとテーパーの入った断面厚を有するサイドウォールを備えていることを特徴とする請求項７に記載のマスク。
【請求項１０】
前記ガセット部の第一のサイドウォール部に接触して前記第一のサイドウォール部の動きを制限する、前記マスクシェルに取り付けられたほぼ剛性を有するバックストップをさらに備えていることを特徴とする請求項１に記載のマスク。
【請求項１１】
前記ほぼ剛性を有するバックストップは、前記ガセット部の周囲の実質的に全体にわたって伸びていることを特徴とする請求項１０に記載のマスク。
【請求項１２】
前記マスクは、鼻マスクである請求項１に記載のマスク。
【請求項１３】
前記マスクは、ＣＰＡＰ療法用のマスクである、請求項１に記載のマスク。
【請求項１４】
ユーザに呼吸可能ガスを届けるためのマスク構成であって、
加圧された呼吸可能ガスの供給を受け取るように適合された部分とユーザ側とを有するマスクシェルと、
前記マスクシェルの前記ユーザ側に取り付けられた第一の側と、第二の側とを有するガセット部と、
前記ガセット部の前記第二の側に取り付けられるように構成された第一の部分と、使用時にはユーザの顔に接触して前記マスクと前記ユーザの顔との間を密閉するように構成された第二の部分とを有するクッションと、
長さが調節可能なヘッドギアストラップを有し、前記マスクシェルを前記ユーザに取り付けるように構成されたヘッドギアと
を備えており、
前記マスク構成の初期設定時において前記ヘッドギアストラップの長さを選択的に変えることにより、前記ガセット部は前記マスクシェルと前記クッションとの間の距離に設定された変位範囲内で移動することができ、前記ガセット部は、使用時に前記加圧された呼吸可能ガスの供給にさらされるガセット領域を規定し、前記ガセット領域に作用する前記加圧されたガスの供給は、前記ユーザの顔にかかる前記クッションの接触力Ｆｃの構成要素を提供し、
前記がセット部は、前記力Ｆｃを、前記マスクの動作圧力範囲の最小の圧力において前記ユーザと前記マスクとの間を密閉するための最小密閉力と少なくとも等しい力に保つ手段を含むことを特徴とするマスク構成。
【請求項１５】
ユーザに呼吸可能ガスを届けるためのマスクであって、
加圧された呼吸可能ガスの供給を受け取るように適合された部分とユーザ側とを有するマスクシェルと、
前記マスクシェルの前記ユーザ側に取り付けられた第一の側と、第二の側とを有するガセット部と、
前記ガセット部の前記第二の側に取り付けられるように構成された第一の部分と、使用時にはユーザの顔に接触して前記マスクと前記ユーザの顔との間を密閉するように構成された第二の部分とを有するクッションと、
少なくとも一つのヘッドギアストラップを有し、前記マスクシェルを前記ユーザに取り付けるように構成されたヘッドギアと
を備えており、
前記ガセット部は前記マスクシェルと前記クッションとの間の距離に設定された変位範囲内で移動することができ、前記ガセット部は、使用時に前記加圧された呼吸可能ガスの供給にさらされるガセット領域を規定し、前記ガセットに作用する前記加圧されたガスの供給は、前記ユーザの顔にかかる前記クッションの接触力Ｆｃの構成要素を提供し、
前記力Ｆｃは前記加圧された呼吸可能ガスの供給の圧力に対してほぼ一定の割合に維持され、前記顔にかかる前記マスクのトータルの力Ｆｍは、前記ヘッドギアストラップを調整することなしに、前記マスクの動作圧力範囲の最小の圧力において、前記加圧された呼吸可能ガスの供給の圧力１ｇｆ／ｃｍ２あたり約３５〜１０８グラムの範囲内に維持されるように前記マスクシェル、前記ガセット部、前記クッションおよび前記ヘッドギアが構成されていることを特徴とするマスク。
【請求項１６】
ユーザに呼吸可能ガスを届けるためのマスクであって、
加圧された呼吸可能ガスの供給を受け取るように適合された部分とユーザ側とを有するマスクシェルと、
前記マスクシェルに対して用いられ、使用時にはユーザの顔に接触して前記マスクと前記ユーザの顔との間を密閉するクッションと、
前記クッションに対して用いられるガセット部と、
少なくとも一つのヘッドギアストラップを有し、前記ユーザに対して前記マスクシェルの位置を決めるヘッドギアと
を備えており、
前記ガセット部は、前記ユーザの顔にかかる前記クッションの接触力Ｆｃの構成要素を提供し、使用時において、前記力Ｆｃが、前記加圧された呼吸可能ガスの供給の圧力に対してほぼ一定の割合に維持され、前記顔にかかる前記マスクのトータルの力Ｆｍが前記ヘッドギアストラップを調節することなしに、少なくとも前記マスクの最小の動作圧力に対して、前記マスクと前記ユーザの顔との間の密閉を所定範囲内に維持されるように構成されていることを特徴とするマスク構成。
【請求項１７】
動作圧力に加圧されるマスク構成であって、
マスクフレームと、
前記マスクフレームから距離を空けて配されて、ユーザの顔に力を伝えるクッションと、
前記マスクフレームと前記クッションの間に配されて、
（１）動作圧力範囲にわたって圧力に依存して可変な突出領域、および、
（２）与えられた動作圧力において、前記力および前記距離が略反比例となる、圧力および距離の少なくとも一方に依存する弾性係数を有する弾性部
の少なくとも一方を有するサイドウォールを含むガセット部と
を備えるマスク構成。
【請求項１８】
前記サイドウォールは、前記突出領域および前記弾性部の両方を有する請求項１７に記載のマスク構成。
【請求項１９】
動作圧力に加圧されるマスク構成であって、
マスクフレームと、
前記マスクフレームから距離を空けて配されて、ユーザの顔に力を伝えるクッションと、
前記マスクフレームと前記クッションの間に配されて、与えられた動作圧力において、前記力と前記距離とが略反比例の関係になる手段を有するガゼット部と
を備えるマスク構成。